(57)【要約】【課題】台座の左右において突没するアームによるゲージ機能を有効に高める。【解決手段】台座１から相反する方向へ突没可能なように台座１に一対のアーム６を設け、これらのアーム６の基端側を台座１内において同期機構７を介し連動させて、両アーム７の先端側を台座１から引き出し、アーム７の先端側に起立させて設けた起立片６０間に紙を挟んで紙のセンターの割り出しを行うものである。そして、各アーム６を、互いに離間して配置され先端側を相互に連結された複数本のアーム本体６ａ、６ｂから構成することとしている。【選択図】図２
2004009234.tif 000002
【特許請求の範囲】
【請求項１】
台座から相反する方向へ突没可能に一対のアームを設け、これらのアームの基端側を台座内において同期機構を介し連動させて、両アームの先端側を台座から引き出し、アームの先端側に起立させて設けた起立片間に紙を挟んで紙のセンターの割り出しを行うものにおいて、
前記各アームを、互いに離間して配置され先端側を相互に連結された複数本のアーム本体から構成したことを特徴とするセンターゲージ。
【請求項２】
各アームのアーム本体を互いに位相をずらせて同一平面内に配置している請求項１記載のセンターゲージ。
【請求項３】
各アームに共通のアーム部材を、１８０°回転させ位相をずらせた位置にて向かい合わせて使用している請求項２記載のセンターゲージ。
【請求項４】
アーム部材の先端に起立片を、当該アーム部材を１８０°回転させ位相をずらせた位置にて向かい合わせた際に位相が一致するように設けている請求項３記載のセンターゲージ。
【請求項５】
アーム部材の先端に引き出し用の摘みを、当該アーム部材を１８０°回転させ位相をずらせた位置にて向かい合わせた際に位相が一致するように設けている請求項３又は４記載のセンターゲージ。
【請求項６】
台座から相反する方向へ突没可能に一対のアームを設け、これらのアームの基端側を台座内において同期機構を介し連動させて、両アームの先端側を台座から引き出し、アームの先端側に起立させて設けた起立片間に紙を挟んで紙のセンターの割り出しを行うものにおいて、
前記起立片を、アームに対して出し入れ可能に設けたことを特徴とするセンターゲージ。
【請求項７】
アームの先端側にアームの突没方向と直交する鉛直壁を設け、この鉛直壁の肉厚内に上方に開口する収納空間を設けて、この収納空間に起立片を収容し得るようにしている請求項６記載のセンターゲージ。
【請求項８】
台座が、穴開け機能を有するパンチの台座である請求項１〜７記載のセンターゲージ。
【発明の詳細な説明】
【０００１】
【発明の属する技術分野】
本発明は、穴開け用のパンチ等に付帯して紙のセンターの割り出しに利用されるセンターゲージに関するものである。
【０００２】
【従来の技術】
例えば、穴開け用のパンチは、綴じ込み用の穴を穿孔することが主な目的であるから、その穴の位置は常に一定である必要がある。そこで、従来よりこの種のパンチには、紙の束を載せる台座に、紙のセンターの割り出しを行うセンターゲージを付帯させているのが通例である。
【０００３】
そして、この種のセンターゲージとして、台座から相反する方向へ突没可能に一対のアームを設け、これらのアームの基端側を台座内において同期機構を介し連動させて、両アームの先端側を台座から引き出し、アームの先端側に起立させて設けた起立片間に紙を挟んで紙のセンターの割り出しを行うようにしたものが考えられている。
【０００４】
【発明が解決しようとする課題】
ところが、かかるアームは、台座の右側縁及び左側縁からそれぞれ１本づつが外側方に向けて突没するようになっており、紙の支持幅はアームの幅寸法に起因している。このため、十分な支持幅を確保しようとしてアームを幅広なものにすると、左右のアームは紙を水平に支持するために同一平面内にあり干渉を避けるために突没方向と直交する方向に位相をずらせて配置しなければならないため、紙の支持位置が左右で大きくずれ、バランス良く紙を支持することが困難になるという不都合を招来する。
【０００５】
一方、かかるアームの先端に設けられる起立片は、通常アームに起立状態で固定されているのが通例である。このため、単に支持面が必要なだけでゲージ機能を必要としない作業や、このようなゲージ機能を日常的に使用しない人にとっては、かかる起立片の存在は却ってパンチ等を使用する際の弊害となる場合がる。
【０００６】
本発明の目的とするところは、これらの不都合を解消して、センターゲージの使い勝手を従来に比べて有効に向上させることにある。
【０００７】
【課題を解決するための手段】
本発明は、かかる目的を達成するために、次のような構成を採用したものである。
【０００８】
すなわち、本発明のセンターゲージは、先ず有効な支持幅を確保するために、台座から相反する方向へ突没可能に一対のアームを設け、これらのアームの基端側を台座内において同期機構を介し連動させて、両アームの先端側を台座から引き出し、アームの先端側に起立させて設けた起立片間に紙を挟んで紙のセンターの割り出しを行うように構成するに際して、前記各アームを、互いに離間して配置され先端側を相互に連結された複数本のアーム本体から構成したものである。
【０００９】
このようなものであれば、アーム本体それ自体の支持幅は僅かであっても、複数本のアーム本体により実質的に支持面が拡張されるため、左右のアーム本体同士の干渉を避けるためにアーム本体それ自体を幅狭なものにしても、有効な支持幅を確保することができる。
【００１０】
アーム本体同士の干渉を避け、紙に対する支持をバランスの良いものにするためには、各アームのアーム本体を互いに位相をずらせて同一平面内に配置しているものが挙げられる。
【００１１】
製造コストの削減を図るためには、各アームに共通のアーム部材を、１８０°回転させ位相をずらせた位置にて向かい合わせて使用していることが有効となる。
【００１２】
ゲージ機能を正確なものにするためには、アーム部材の先端に起立片を、当該アーム部材を１８０°回転させ位相をずらせた位置にて向かい合わせた際に位相が一致するように設けておくことが望ましい。
【００１３】
引き出し操作を、同期機構を適正に作動させつつ円滑に行うためには、アーム部材の先端に引き出し用の摘みを、当該アーム部材を１８０°回転させ位相をずらせた位置にて向かい合わせた際に位相が一致するように設けておくことが好ましい。
一方、本発明のセンターゲージは、ゲージ機能を必要に応じて使用できるようにするために、台座から相反する方向へ突没可能に一対のアームを設け、これらのアームの基端側を台座内において同期機構を介し連動させて、両アームの先端側を台座から引き出し、アームの先端側に起立させて設けた起立片間に紙を挟んで紙のセンターの割り出しを行うように構成するに際して、前記起立片を、アームに対して出し入れ可能に設けたものである。
このようにすれば、起立片を必要な場合に引き出し、不要な場合に収納しておくことができるので、目的・用途に応じて、或いは使用者の使い勝手に応じて、ゲージ機能を有効に使い分けることができる。
【００１４】
具体的な実施の態様としては、アームの先端側にアームの突没方向と直交する鉛直壁を設け、この鉛直壁の肉厚内に上方に開口する収納空間を設けて、この収納空間に起立片を収容し得るようにしているものが挙げられる。
【００１５】
本発明は、以上のような構成であるから、的確な位置決めを必要とされるパンチの台座に付帯させて使用する際に極めて有用なものとなる。
【００１６】
【発明の実施の形態】
以下、本発明の一実施形態を、図面を参照して説明する。
【００１７】
図１は、この実施形態のセンターゲージが適用されたパンチを示している。このパンチは、台座１と、この台座１の上端（紙を挿し込む方向）側より一体に立ち上がる保持構体２と、この保持構体２内に昇降可能に収容されてパンチング軸（図示省略）を保持する軸ホルダー４と、前記保持構体２の上端側に基端側を回転可能に支持させた操作ハンドル５とを具備し、保持構体２内にあって操作ハンドル５の回転操作に軸ホルダー４の昇降動作を連動させるようにしている。
【００１８】
台座１は、保持構体２及びその付属物である操作ハンドル５等を支持するに足る剛性を有した中空厚板状のもので、上面を紙の載置面１ａとして設定されているとともに、その上端近傍部におけるパンチング軸の対応２ヶ所に、同パンチング軸の刃先を受ける樹脂製の円形マット１１を上面を載置面１ａと略面一にした状態で埋設するようにしている。
【００１９】
保持構体２は、台座１に接地する部分に対して、軸ホルダー４の収納部、操作ハンドル５の取付部等を前方（すなわち載置面１ａ側）に持ち出しているもので、そのオーバーハングした部分の下面２ａと、台座１の上面１ａとの間に、紙の束の上端側を差し込むようにしている。
【００２０】
このような構成において、本実施形態は、前記台座１として、図２及〜図５に示すセンターゲージＡを組み込んだ台座１を使用するようにしている。なお、図３及び図４は台座１の一部を構成する蓋を撤去して内部を見せたものであり、図において網掛けｘを付している部分は他の部分よりも上方へ突出した位置にある。
【００２１】
センターゲージＡは、台座１から相反する方向へ突没可能なように当該台座１に一対のアーム６を設け、これらのアーム６の基端側を台座１内に設けた同期機構７を介し連動させて、両アーム６の先端側を台座１から引き出し、アーム６の先端側に起立させて設けた起立片６０間に紙を挟んで紙のセンターの割り出しを行うようにしている。
【００２２】
同期機構７は、台座１のセンターＣから各アーム６の突没方向へそれぞれ偏位した位置に設けた一対の回転子たるピニオンギア７１と、これらのピニオンギア７１の間を同期作動可能に関連づける同期子たる中間ギア７２とからなり、各ピニオンギア７１を各々対応するアーム６に設けたラック歯６１に噛み合わせることによりラック・ピニオン機構を構成して、両アーム６の突没動作が同期して引き起こされるようにしている。
【００２３】
より具体的には、中間ギア７２は、両ピニオンギア７１の間にあってそれらのピニオンギア７１に対しそれぞれ軸心ｍを挟んだ対向位置で直接噛み合う単一のものであり、ピニオンギア７１及び中間ギア７２の軸心がアーム６の突没方向に対して僅かに角度αをもった直線Ｌ上に概ね連ねて配列されている。この場合、中間ギア７２の軸心ｍは台座１のセンターＣ上にある。
【００２４】
一方、前述したアーム６の形態は、互いに突没方向と直交する方向（紙を抜き差しする方向）に離間して配置され先端側を鉛直壁６２を介して相互に連結された２本の短冊状をなすアーム本体６ａ、６ｂから構成されている。
【００２５】
アーム本体６ａ、６ｂは、単体による支持幅ｄは２〜３ｃｍ程度に過ぎないものの、これら一対のアーム本体６ａ、６ｂからなるアーム６の支持幅Ｄはその間の離間隙間を含めて実質的に１０ｃｍ程度に拡張され、広い面で紙を支持できるものとなっている。
【００２６】
各アーム６は、平面視コ字形をなす共通のアーム部材を１８０°回転させ、突没方向と直交する方向（台座１のセンター線方向）に若干位相をずらせて同一平面内に対向配置し、それらのアーム本体６ａ、６ａ間、６ａ、６ｂ間、６ｂ、６ｂ間の干渉を回避している。すなわち、互いに一方のアーム本体６ａが他方のアーム本体６ａ、６ｂ間の離間隙間に挿入される位置関係をなしている。各アーム６の他方のアーム本体６ｂは、図３、図４に網掛けを付した突出部によって形成されるレール部１Ｒにガイドされている。アーム本体６ｂの先端には突出部６４が設けてあり、引き出し端でこの突出部６４がレール１Ｒの一部に設けた段部ｒに突き当たって抜け止めが図られている。すなわち、アーム６は、図３の引き出し位置から、鉛直壁６２の内面を台座１の側壁１ｂに設けた凹部１ｃに一部嵌め入れつつ当接する図４の位置まで移動可能とされ、ラック歯６１はこの間においてピニオンギア７１に常に噛み合っているために必要かつ十分な長さが与えられている。このラック歯６１は、一方のアーム本体６ａの長手方向に沿った縁部に垂設した垂下壁の内面に設けられている。
【００２７】
また、アーム本体６ａの先端側を連結する鉛直壁６２には、その肉厚内に上方に開口する収納空間６２ａが設けてあり、この収納空間６２ａ内に、前述した紙を挟むための起立片６０を軸ｎにより軸着して収容している。図３、図４は収納空間内に埋没した起立片６０を塗りつぶして示しており、図５はこれを破線で示している。この状態から起立片６０を軸ｎ回りに図５中矢印Ｆで示すように略１８０°回転させると、該起立片６０を図２アーム６の上面よりも上方へ突出した位置に引き出すことができる。収納位置と引き出し位置には、起立片６０に設けた爪６０ａを係合させる凹部６２ａが設けてある。アーム６同士は位相がずらしてあるが、引き出した起立片６０同士は位相を一致させて相対するように、各々の鉛直壁６２への軸着位置が設定されている。また、引き出した起立片６０の外側には、前記鉛直壁６２より外方に向けて操作摘み６３が水平に突設されている。
【００２８】
以上のように、本実施形態のセンターゲージＡは、台座１から相反する方向へ突没可能なように当該台座１に一対のアーム６を設け、これらのアーム６の基端側を台座１内において同期機構７を介し連動させて、両アーム６の先端側を台座１から引き出し、アーム６の先端側に起立させて設けた起立片６０間に紙を挟んで紙のセンターの割り出しを行うようにしたものである。そして、各アーム６を、互いに離間して配置され先端側を相互に連結された２本のアーム本体６ａ、６ｂから構成したものである。
【００２９】
このようにして、アーム本体６ａ、６ｂそれ自体の支持幅ｄは僅かであっても、これら２本のアーム本体６ａ、６ｂにより実質的に支持面を有効に拡張することができるため、左右のアーム本体６ａ、６ｂ同士の干渉を避けるためにアーム本体６ａ、６ｂそれ自体を幅狭なものにしても、有効な支持幅Ｄを確保することができる。
【００３０】
特に、各アーム６のアーム本体６ａ、６ｂを互いに位相をずらせて同一平面内に配置しているため、アーム本体６ａ、６ｂ同士の干渉を避けつつ、紙の支持面を左右ほぼ同じ位置に形成して、バランスの良い支持機能を実現することができる。
【００３１】
要素部品に関しては、各アーム６に共通のアーム部材を、１８０°回転させ位相をずらせた位置にて向かい合わせて使用しているため、個々にアームを製造する場合の製造コストの半減を図ることができる。
【００３２】
もっとも、このようにアーム部材を共通部材として用いても、アーム部材の先端に起立片６０を、当該アーム部材を１８０°回転させ位相をずらせた位置にて向かい合わせた際に位相が一致するように設けているため、製造効率の向上を図っても、正確なゲージ機能を確保することができる。
【００３３】
このことは引き出し用の摘み６３についても同様で、アーム部材の先端に当該引き出し用の摘み６３を、アーム部材を１８０°回転させ位相をずらせた位置にて向かい合わせた際に位相が一致するように設けているため、製造効率の向上を図っても、同期機構７を適正に作動させ得るような位置から引き出し操作を円滑に行うことができる。
一方、本実施形態のセンターゲージは、起立片６０を、アーム６に対して出し入れ可能に設けたものである。
このようにすれば、起立片６０を必要な場合に引き出し、不要な場合に収納しておくことができるので、目的・用途に応じて、或いは使用者の使い勝手に応じて、ゲージ機能を有効に使い分けることができる。また、起立片を収納できるようにすれば、保管・運搬時の嵩張りを有効に低減できることにもなる。
【００３４】
具体的には、アーム６の先端側にアームの突没方向と直交する鉛直壁６２を設け、この鉛直壁６２の肉厚内に上方に開口する収納空間６２ａを形成して、この収納空間６２ａに起立片６０を収容するようにしているため、適切な収納場所を手近に確保することができる。特に、この鉛直壁６２は、アーム本体６ａ、６ｂの先端側を連結することを一義的な機能としているため、このような鉛直壁６２を利用すれば別段の収納部材を別途に設けずとも収納空間６２ａを容易に確保することができる。
【００３５】
以上のような構成であるから、このゲージは、的確な位置決めを必要とされるパンチの台座１に付帯させて使用した場合に極めて有用なものとなり得る。
【００３６】
なお、各部の具体的な構成は、上述した実施形態のみに限定されるものではなく、本発明の趣旨を逸脱しない範囲で種々変形が可能である。
【００３７】
【発明の効果】
以上説明したように、本発明によれば、ゲージ機能を発揮する左右のアームを互いに干渉しないようにそれ自体を幅狭なものにしても、複数本のアーム本体により平面的に広がりのある支持面を左右でバランス良く形成することができ、これによりゲージ機能を有効に高めることが可能となる。
【図面の簡単な説明】
【図１】本発明の一実施形態に係るセンターゲージを適用したパンチの斜視図。
【図２】同部分拡大斜視図。
【図３】同一部省略した平面図。
【図４】同一部省略した平面図。
【図５】同側面図。
【符号の説明】
１…台座
６…アーム
６ａ、６ｂ…アーム本体
６０…起立片
６２…鉛直壁
６２ａ…収納空間
【図１】
2004009234.tif 000003
【図２】
2004009234.tif 000004
【図３】
2004009234.tif 000005
【図４】
2004009234.tif 000006
【図５】
2004009234.tif 000007